(57)【要約】【課題】作業性を向上させることができる板材支持構造の組み立て方法及び板材支持構造を提供する。【解決手段】本実施の形態に係る板材支持構造の組み立て方法は、矩形状の板材と、該板材を支持する第１及び第２の支持部材とを備える板材支持構造を組み立てる方法において、一方の長辺部及び一方の短辺部夫々に凹部が設けられている前記板材と前記第１及び第２の支持部材と第３の支持部材と支持具とを準備し、前記第１及び第２の支持部材を、前記板材の２辺部の凹部に対応する一の位置に配し、前記第３の支持部材を前記一の位置から外れた他の位置に配し、前記板材の他方の短辺部の側を切断することによって前記板材の長さを調整し、長さが調整された前記板材の他方の短辺部における一面に前記支持具を取り付け、前記第１及び第２の支持部材を前記板材の２辺部の前記凹部に挿入すると共に、前記支持具を前記第３の支持部材に支持させることを特徴とする。【選択図】図５
2020165175.tif 000002
【特許請求の範囲】
【請求項１】
矩形状の板材と、
該板材を支持する第１及び第２の支持部材と
を備える板材支持構造を組み立てる方法において、
一方の長辺部及び一方の短辺部夫々に凹部が設けられている前記板材と前記第１及び第２の支持部材と第３の支持部材と支持具とを準備し、
前記第１及び第２の支持部材を、前記板材の２辺部の凹部に対応する一の位置に配し、
前記第３の支持部材を前記一の位置から外れた他の位置に配し、
前記板材の他方の短辺部の側を切断することによって前記板材の長さを調整し、
長さが調整された前記板材の他方の短辺部における一面に前記支持具を取り付け、
前記第１及び第２の支持部材を前記板材の２辺部の前記凹部に挿入すると共に、前記支持具を前記第３の支持部材に支持させることを特徴とする板材支持構造の組み立て方法。
【請求項２】
前記第１、第２、及び第３の支持部材夫々は棒材であり、
前記第１及び第２の支持部材を前記一の位置に配する場合に、前記第１の支持部材を、壁面に沿って該壁面に横姿勢で取り付け、且つ、前記第２の支持部材を、前記第１の支持部材の一端側に、前記壁面に交差する横姿勢で、前記第１及び第２の支持部材夫々の床からの高さが互いに同じになるように配し、
前記第３の支持部材を前記他の位置に配する場合に、前記第３の支持部材を、前記第１の支持部材の他端側に、前記壁面に交差する横姿勢で、前記第１及び第２の支持部材夫々よりも天井に近い位置に配し、
前記板材の前記一方の長辺部を前記壁面に向け、前記板材の前記一面を前記天井に向け、
前記第１及び第２の支持部材を前記板材の２辺部の前記凹部に挿入すると共に、前記支持具を前記第３の支持部材に載置することを特徴とする請求項１に記載の板材支持構造の組み立て方法。
【請求項３】
前記第１、第２、及び第３の支持部材夫々は棒材であり、
前記第１及び第２の支持部材を前記一の位置に配する場合に、前記第１の支持部材を、入隅を構成する２面の壁面の内の一方の壁面に沿って該一方の壁面に縦姿勢で取り付け、且つ、前記第２の支持部材を、前記第１の支持部材の一端側に、前記一方の壁面に交差する横姿勢で、前記第１及び第２の支持部材夫々の前記２面の壁面の内の他方の壁面までの距離が互いに同じになるように配し、
前記第３の支持部材を前記他の位置に配する場合に、前記第３の支持部材を、前記第１の支持部材の他端側に、前記一方の壁面に交差する横姿勢で、前記第１及び第２の支持部材夫々よりも前記他方の壁面に近い位置に配し、
前記板材の前記一方の長辺部を前記一方の壁面に向け、前記板材の前記一面を前記他方の壁面に向け、
前記第１及び第２の支持部材を前記板材の２辺部の前記凹部に挿入すると共に、前記支持具を前記第３の支持部材に係合させることを特徴とする請求項１に記載の板材支持構造の組み立て方法。
【請求項４】
矩形状の板材と、
該板材を支持する第１及び第２の支持部材と
を備える板材支持構造において、
前記板材の一方の長辺部及び一方の短辺部夫々には凹部が設けられており、
前記第１及び第２の支持部材は、前記板材の２辺部の凹部に挿入されており、
前記板材の他方の短辺部における一面に取り付けられている支持具と、
該支持具を支持する第３の支持部材と
を備えることを特徴とする板材支持構造。
【請求項５】
前記板材の前記一方の長辺部は、壁面に向けられており、
前記板材の一面は、天井に向けられており、
前記第１の支持部材は、前記壁面に沿って該壁面に取り付けられた横姿勢の棒材であり、
前記第２の支持部材は、前記第１の支持部材の一端側に配され、前記壁面に交差する横姿勢の棒材であり、
前記第３の支持部材は、前記第１の支持部材の他端側に配され、前記壁面に交差する横姿勢の棒材であり、
前記第１及び第２の支持部材夫々の床からの高さは互いに同じであり、
前記第３の支持部材は前記第１及び第２の支持部材夫々よりも前記天井に近い位置にあり、
前記支持具は、前記第３の支持部材に載置される部分と、前記他方の短辺部における前記一面に取り付けられる部分とを有することを特徴とする請求項４に記載の板材支持構造。
【請求項６】
前記板材の前記一方の長辺部は、入隅を構成する２面の壁面の内の一方の壁面に向けられており、
前記板材の一面は、前記２面の壁面の内の他方の壁面に向けられており、
前記第１の支持部材は、前記一方の壁面に沿って前記一方の壁面に取り付けられた縦姿勢の棒材であり、
前記第２の支持部材は、前記第１の支持部材の一端側に配され、前記一方の壁面に交差する横姿勢の棒材であり、
前記第３の支持部材は、前記第１の支持部材の他端側に配され、前記一方の壁面に交差する横姿勢の棒材であり、
前記第１及び第２の支持部材夫々の前記他方の壁面までの距離は互いに同じであり、
前記第３の支持部材は前記第１及び第２の支持部材夫々よりも前記他方の壁面に近い位置にあり、
前記支持具は、前記第３の支持部材に係合する部分と、前記他方の短辺部における前記一面に取り付けられる部分とを有することを特徴とする請求項４に記載の板材支持構造。
【請求項７】
前記板材は、光源を目隠しする目隠し部を有することを特徴とする請求項４から６の何れか一項に記載の板材支持構造。
【請求項８】
前記支持具を目隠しする目隠し部材を更に備えることを特徴とする請求項４から７の何れか一項に記載の板材支持構造。
【請求項９】
前記支持具は光吸収性を有することを特徴とする請求項４から８の何れか一項に記載の板材支持構造。
【発明の詳細な説明】
【技術分野】
【０００１】
本発明は、板材支持構造の組み立て方法及び板材支持構造に関する。
【背景技術】
【０００２】
特許文献１に記載の棚板は、３面からなる壁面に囲まれた収納空間に配される。
棚板の長手方向の両端面、及び棚板の短手方向の一端面には、溝状の受桟部収容空間が設けられている。
３面からなる壁面には３本の受桟部が１本ずつ設けられている。棚板に設けられている３つの受桟部収容空間に３本の受桟部が収容されることによって、棚板は収納空間に配される。
【先行技術文献】
【特許文献】
【０００３】
【特許文献１】特開２０１５−５９３７８号公報
【発明の概要】
【発明が解決しようとする課題】
【０００４】
特許文献１に記載の棚板の場合、棚板の長さが収納空間の間口寸法よりも長いとき、作業者は、棚板の長手方向の端部を切断することによって、棚板の長さを調整する。棚板の切断によって受桟部収容空間が失われるか、又は受桟部収容空間の深さが不足した場合、作業者は、棚板を切削することによって、受桟部収容空間を形成する必要がある。即ち、特許文献１に記載の棚板には作業性が悪いという問題がある。
【０００５】
本発明は斯かる事情に鑑みてなされたものであり、その主たる目的は、作業性を向上させることができる板材支持構造の組み立て方法及び板材支持構造を提供することにある。
【課題を解決するための手段】
【０００６】
本実施の形態に係る板材支持構造の組み立て方法は、矩形状の板材と、該板材を支持する第１及び第２の支持部材とを備える板材支持構造を組み立てる方法において、一方の長辺部及び一方の短辺部夫々に凹部が設けられている前記板材と前記第１及び第２の支持部材と第３の支持部材と支持具とを準備し、前記第１及び第２の支持部材を、前記板材の２辺部の凹部に対応する一の位置に配し、前記第３の支持部材を前記一の位置から外れた他の位置に配し、前記板材の他方の短辺部の側を切断することによって前記板材の長さを調整し、長さが調整された前記板材の他方の短辺部における一面に前記支持具を取り付け、前記第１及び第２の支持部材を前記板材の２辺部の前記凹部に挿入すると共に、前記支持具を前記第３の支持部材に支持させることを特徴とする。
【０００７】
本実施の形態に係る板材支持構造の組み立て方法は、前記第１、第２、及び第３の支持部材夫々は棒材であり、前記第１及び第２の支持部材を前記一の位置に配する場合に、前記第１の支持部材を、壁面に沿って該壁面に横姿勢で取り付け、且つ、前記第２の支持部材を、前記第１の支持部材の一端側に、前記壁面に交差する横姿勢で、前記第１及び第２の支持部材夫々の床からの高さが互いに同じになるように配し、前記第３の支持部材を前記他の位置に配する場合に、前記第３の支持部材を、前記第１の支持部材の他端側に、前記壁面に交差する横姿勢で、前記第１及び第２の支持部材夫々よりも天井に近い位置に配し、前記板材の前記一方の長辺部を前記壁面に向け、前記板材の前記一面を前記天井に向け、前記第１及び第２の支持部材を前記板材の２辺部の前記凹部に挿入すると共に、前記支持具を前記第３の支持部材に載置することを特徴とする。
【０００８】
本実施の形態に係る板材支持構造の組み立て方法は、前記第１、第２、及び第３の支持部材夫々は棒材であり、前記第１及び第２の支持部材を前記一の位置に配する場合に、前記第１の支持部材を、入隅を構成する２面の壁面の内の一方の壁面に沿って該一方の壁面に縦姿勢で取り付け、且つ、前記第２の支持部材を、前記第１の支持部材の一端側に、前記一方の壁面に交差する横姿勢で、前記第１及び第２の支持部材夫々の前記２面の壁面の内の他方の壁面までの距離が互いに同じになるように配し、前記第３の支持部材を前記他の位置に配する場合に、前記第３の支持部材を、前記第１の支持部材の他端側に、前記一方の壁面に交差する横姿勢で、前記第１及び第２の支持部材夫々よりも前記他方の壁面に近い位置に配し、前記板材の前記一方の長辺部を前記一方の壁面に向け、前記板材の前記一面を前記他方の壁面に向け、前記第１及び第２の支持部材を前記板材の２辺部の前記凹部に挿入すると共に、前記支持具を前記第３の支持部材に係合させることを特徴とする。
【０００９】
本実施の形態に係る板材支持構造は、矩形状の板材と、該板材を支持する第１及び第２の支持部材とを備える板材支持構造において、前記板材の一方の長辺部及び一方の短辺部夫々には凹部が設けられており、前記第１及び第２の支持部材は、前記板材の２辺部の凹部に挿入されており、前記板材の他方の短辺部における一面に取り付けられている支持具と、該支持具を支持する第３の支持部材とを備えることを特徴とする。
【００１０】
本実施の形態に係る板材支持構造は、前記板材の前記一方の長辺部は、壁面に向けられており、前記板材の一面は、天井に向けられており、前記第１の支持部材は、前記壁面に沿って該壁面に取り付けられた横姿勢の棒材であり、前記第２の支持部材は、前記第１の支持部材の一端側に配され、前記壁面に交差する横姿勢の棒材であり、前記第３の支持部材は、前記第１の支持部材の他端側に配され、前記壁面に交差する横姿勢の棒材であり、前記第１及び第２の支持部材夫々の床からの高さは互いに同じであり、前記第３の支持部材は前記第１及び第２の支持部材夫々よりも前記天井に近い位置にあり、前記支持具は、前記第３の支持部材に載置される部分と、前記他方の短辺部における前記一面に取り付けられる部分とを有することを特徴とする。
【００１１】
本実施の形態に係る板材支持構造は、前記板材の前記一方の長辺部は、入隅を構成する２面の壁面の内の一方の壁面に向けられており、前記板材の一面は、前記２面の壁面の内の他方の壁面に向けられており、前記第１の支持部材は、前記一方の壁面に沿って前記一方の壁面に取り付けられた縦姿勢の棒材であり、前記第２の支持部材は、前記第１の支持部材の一端側に配され、前記一方の壁面に交差する横姿勢の棒材であり、前記第３の支持部材は、前記第１の支持部材の他端側に配され、前記一方の壁面に交差する横姿勢の棒材であり、前記第１及び第２の支持部材夫々の前記他方の壁面までの距離は互いに同じであり、前記第３の支持部材は前記第１及び第２の支持部材夫々よりも前記他方の壁面に近い位置にあり、前記支持具は、前記第３の支持部材に係合する部分と、前記他方の短辺部における前記一面に取り付けられる部分とを有することを特徴とする。
【００１２】
本実施の形態に係る板材支持構造は、前記板材は、光源を目隠しする目隠し部を有することを特徴とする。
【００１３】
本実施の形態に係る板材支持構造は、前記支持具を目隠しする目隠し部材を更に備えることを特徴とする。
【００１４】
本実施の形態に係る板材支持構造は、前記支持具は光吸収性を有することを特徴とする。
【００１５】
本実施の形態にあっては、矩形状の板材の一方の長辺部、及びこの板材の一方の短辺部夫々に、凹部が設けられている。
第１及び第２の支持部材は、板材の２辺部の凹部に対応する一の位置に配される。第３の支持部材は、一の位置から外れた他の位置に配される。
板材の長さは、板材の他方の短辺部の側を切断することによって調整される。
長さが調整された板材の他方の短辺部における一面に、支持具が取り付けられる。
【００１６】
第１及び第２の支持部材は、板材の２辺部の凹部に挿入され、同時的に、第３の支持部材は、支持具を支持する。この結果、板材の３辺部が支持されるので、板材を安定して支持することができる。
板材の他方の短辺部には凹部が設けられている必要はない。故に、板材の長さを調整するために、板材の他方の短辺部の側を切断したとしても、作業者が板材の他方の短辺部に凹部を形成する必要はない。従って、板材支持構造の組み立ての作業性を向上させることができる。
【００１７】
本実施の形態にあっては、第１の支持部材が、壁面に沿って、横姿勢で壁面に取り付けられる。第２の支持部材は、第１の支持部材の一端側に、壁面に交差する横姿勢で配される。第３の支持部材は、第１の支持部材の他端側に、壁面に交差する横姿勢で配される。
第１の支持部材が配される一の位置と、第２の支持部材が配される一の位置とは、床からの高さが互いに同じ位置である。
第３の支持部材が配される他の位置は、一の位置よりも天井に近い位置である。
板材の一方の長辺部は壁面に向けられる。板材の一面は天井に向けられる。
このような板材は、例えば棚板、又は光源の支持板として利用することができる。
【００１８】
本実施の形態にあっては、第１の支持部材が、入隅を構成する２面の壁面の内の一方の壁面に沿って、縦姿勢で一方の壁面に取り付けられる。第２の支持部材は、第１の支持部材の一端側に、一方の壁面に交差する横姿勢で配される。第３の支持部材は、第１の支持部材の他端側に、一方の壁面に交差する横姿勢で配される。
第１の支持部材が配される一の位置と、第２の支持部材が配される一の位置とは、入隅を構成する２面の壁面の内の他方の壁面までの距離が互いに同じ位置である。
第３の支持部材が配される他の位置は、一の位置よりも他方の壁面に近い位置である。
板材の一方の長辺部は一方の壁面に向けられる。板材の一面は他方の壁面に向けられる。
このような板材は、例えば光源の支持板として利用することができる。
【００１９】
本実施の形態にあっては、板材の目隠し部が光源を目隠しするので、間接照明を実現することができる。
【００２０】
本実施の形態にあっては、目隠し部材が支持具を目隠しするので、美観を向上させることができる。
【００２１】
本実施の形態にあっては、支持具が光吸収性を有するので、支持具が目立つことを抑制することができる。故に、美観を向上させることができる。
【発明の効果】
【００２２】
本実施の形態の板材支持構造の組み立て方法及び板材支持構造によれば、作業性を向上させることができる。
【図面の簡単な説明】
【００２３】
【図１】実施の形態１に係る板材支持構造を示す平面図である。
【図２】図１におけるＩＩ−ＩＩ線による板材支持構造の断面図である。
【図３】図１におけるＩＩＩ−ＩＩＩ線による板材支持構造の断面図である。
【図４】板材を示す斜視図である。
【図５】板材支持構造を示す分解斜視図である。
【図６】第２及び第３の支持部材の取り付けを説明する斜視図である。
【図７】第１の支持部材の取り付けを説明する斜視図である。
【図８】支持具の形状が異なる板材支持構造の断面図である。
【図９】実施の形態２に係る板材支持構造を示す分解斜視図である。
【図１０】実施の形態３に係る板材支持構造を示す平面図である。
【図１１】板材支持構造を示す分解斜視図である。
【発明を実施するための形態】
【００２４】
以下、本発明を、その実施の形態を示す図面に基づいて詳述する。
【００２５】
実施の形態  １．
図１は、実施の形態１に係る板材支持構造を示す平面図である。
図中１は板材支持構造であり、板材支持構造１は、板材２を備える。
図２は、図１におけるＩＩ−ＩＩ線による板材支持構造１の断面図である。
図３は、図１におけるＩＩＩ−ＩＩＩ線による板材支持構造１の断面図である。
図１〜図３に示す板材２は、床３１、天井３２、及び壁体３３に囲まれた空間に配されている。
床３１及び天井３２夫々は水平である。
【００２６】
壁体３３は、後面３３１を備える。後面３３１は矩形状をなし、上下左右方向に延びている。以下では、後面３３１に向かって手前側及び奥側を前側及び後側という。
後面３３１の左辺から前方向に、左面３３２が延びている。後面３３１の右辺から前方向に、右面３３３が延びている。後面３３１と左面３３２及び右面３３３夫々とは入隅を構成している。
壁体３３の後面３３１、左面３３２、右面３３３は、床３１から天井３２に亘って垂直に立ち上がっている。
【００２７】
板材２は一方向に長い矩形状をなす。板材２の一方の長辺部は壁体３３の後面３３１に向けられており、板材２の一面は天井３２に向けられている。つまり、板材２の一方の長辺部は板材２の後辺部であり、板材２の一面は板材２の上面である。
板材２の後辺部、左辺部、及び右辺部は、壁体３３の後面３３１、左面３３２、及び右面３３３に接触している。
【００２８】
図４は、板材２を示す斜視図である。
図２〜図４に示すように、板材２は、第１基材２１、第２基材２２、及び表面材２３を備える。
第１基材２１及び第２基材２２夫々は、一方向に長い矩形板材であり、例えば無垢材又は木質材である。第１基材２１及び第２基材２２夫々の厚みは同程度である。第１基材２１の長さは第２基材２２の長さより短い。
【００２９】
第１基材２１の両面は上下に向けられ、第１基材２１の長手方向は左右に向けられている。第２基材２２の両面は前後に向けられ、第２基材２２の長手方向は左右に向けられている。第２基材２２は、第２基材２２の後面の下部が第１基材２１の前端面を覆うようにして、第１基材２１に例えばビス留めされている。第１基材２１の下面及び第２基材２２の下端面は面一であり、第１基材２１の左端面及び第２基材２２の左端面は面一である。第２基材２２は、第１基材２１の右端面よりも右方向に延びている。
【００３０】
表面材２３は第１基材２１及び第２基材２２夫々よりも薄い板材であり、例えば無垢材又は木質材である。表面材２３は、第１基材２１の下面、第２基材２２の下端面、前面、上端面、後面、及び第１基材２１の上面を全面的に覆うようにして、第１基材２１及び第２基材２２に例えば接着されている。
表面材２３の左右方向の長さは第２基材２２の左右方向の長さと同程度である。
【００３１】
表面材２３は第１基材２１の上面及び下面夫々よりも後方向に延びている。表面材２３の後方向に延びている部分と第１基材２１の後端面とに囲まれた空間は、板材２の後辺部に設けられた凹部２４として機能する。凹部２４は、後向きに開放された溝状をなす。
また、表面材２３は第１基材２１の上面及び下面夫々よりも右方向に延びている。表面材２３の右方向に延びている部分と第１基材２１の右端面とに囲まれた空間は、板材２の右辺部に設けられた凹部２５として機能する。凹部２５は、右向きに開放された溝状をなす。凹部２５の後端部と凹部２４の右端部とは繋がっている。
以下では、表面材２３についての言及を省略する。
【００３２】
図１〜図３に示すように、板材２の第１基材２１の上面には、取り付け金具４１が例えばビス留めされている。取り付け金具４１は溝形の金具であり、長手方向が左右に向けられており、上向きに開放されている。
取り付け金具４１には照明装置４２が取り付けられている。照明装置４２は、左右方向に並置された光源４２１，４２１，…と、光源４２１，４２１，…を覆うカバー４２２とを備えている。カバー４２２は透光性及び光拡散性を有する。光源４２１，４２１，…夫々が発した光は、カバー４２２を透過して、主に前後及び上向きに拡散する。
【００３３】
板材２の第１基材２１は、照明装置４２を支持する支持板として機能する。
板材２の第２基材２２は、照明装置４２を前側から目隠しする目隠し部として機能する。
【００３４】
本実施の形態では、取り付け金具４１は第１基材２１に取り付けられているが、これに限定されるものではない。例えば取り付け金具４１は第２基材２２の後面に取り付けられてもよい。この場合、第１基材２１が照明装置４２を下側から目隠しする目隠し部として機能し、第２基材２２が照明装置４２を支持する支持板として機能する。
照明装置４２は、取り付け金具４１を介して板材２に取り付けられているが、これに限定されるものではない。例えば照明装置４２は、板材２に載置されてもよい。又は、照明装置４２は、板材２によって前側及び下側から目隠しされるようにして、壁体３３の後面３３１に取り付けられていてもよい。
【００３５】
図５は、板材支持構造１を示す分解斜視図である。図５においては、取り付け金具４１及び照明装置４２の図示を省略している。
板材支持構造１は、支持部材１１，１２，１３（第１〜第３の支持部材）を備える。
図１及び図５に示す支持部材１１，１２，１３夫々は、矩形断面を有する棒材であり、例えば無垢材又は木質材である。
支持部材１１は、長手方向が左右に向くようにして壁体３３の後面３３１に例えばビス留めされている（図２参照）。支持部材１１の左端面は壁体３３の左面３３２に接触している。支持部材１１の上面は水平である。
【００３６】
支持部材１２は、長手方向が前後に向くようにして壁体３３の右面３３３に例えばビス留めされている。支持部材１２の後端面は壁体３３の後面３３１に接触している。支持部材１２の上面の床３１からの高さは支持部材１１の上面の床３１からの高さと同じである。支持部材１２の上面は、支持部材１１の上面と面一である。支持部材１２の左面の後部には、支持部材１１の右端面が接触している。
支持部材１３は、長手方向が前後に向くようにして壁体３３の左面３３２に例えばビス留めされている。支持部材１２の後端面は壁体３３の後面３３１に接触している。支持部材１２の上面は支持部材１１の上面よりも天井３２側に配されている。支持部材１２の下面は支持部材１１の上面から適長離隔している。
【００３７】
支持部材１１は、板材２の凹部２４に挿入されている。支持部材１２は、板材２の凹部２５に挿入されている。板材２の凹部２４，２５夫々の上側の内面は、支持部材１１，１２に載置されている。この結果、支持部材１１，１２は板材２を支持している。
支持部材１１と凹部２４の内面との間、及び、支持部材１２と凹部２５の内面との間には、図示しない接着剤が介在している。
【００３８】
図１〜図５に示すように、板材支持構造１は支持具１４を備える。
支持具１４はＺ字状の金具である。支持具１４は取り付け部１４１、中間部１４２、及び載置部１４３を備える。取り付け部１４１、中間部１４２、及び載置部１４３夫々は矩形板状をなす。中間部１４２の対向２辺から取り付け部１４１及び載置部１４３が互いに相反する方向に、且つ中間部１４２に垂直に立ち上がっている。
【００３９】
取り付け部１４１は、板材２の第１基材２１の左辺部における上面に例えばビス留めされている。中間部１４２は取り付け部１４１の左辺から上向きに延び、載置部１４３は中間部１４２の上辺から左向きに延びる。載置部１４３の左端部の左右方向の位置は、板材２の左端面の左右方向の位置と略同じであるが、この位置から僅かに右寄りである。
載置部１４３は、支持部材１３の上面に載置されている。この結果、支持部材１３は支持具１４を支持しており、支持具１４を介して板材２を支持している。
【００４０】
板材２の第２基材２２は支持具１４を目隠しする目隠し部材としても機能する。
支持具１４は光吸収性を有することが望ましい。例えば、支持具１４の表面に光吸収性を有する塗料が塗布されている。
なお、照明装置４２を目隠しする目隠し部と、支持具１４を目隠しする目隠し部材とは互いに別物でもよい。この場合、支持具１４を目隠しする目隠し部材は例えば支持具１４を覆うカバーであり、このカバーは光吸収性を有していてもよい。
【００４１】
以上のような板材支持構造１を組み立てる場合、作業者は、支持具１４、板材２、取り付け金具４１、照明装置４２、及び、支持部材１１，１２，１３を形成するための棒材を準備する。これらは工場で製造されて、板材支持構造１を組み立てる現場に搬入される。工場出荷時の板材２の長さは、壁体３３の左面３３２と右面３３３との離隔距離Ｌよりも長い。
作業者は、棒材を切断することによって、支持部材１１，１２，１３夫々を形成する。
【００４２】
作業者は、支持部材１１，１２，１３を壁体３３に取り付ける。支持部材１１，１２，１３を壁体３３に取り付ける順番は限定されないが、以下に一例を挙げる。
図６は、支持部材１２，１３（第２及び第３の支持部材）の取り付けを説明する斜視図である。
作業者は、墨出しを行ない、壁体３３の後面３３１に水平線３４を描く。図６において、水平線３４は破線で示されている。
次に、作業者は、水平線３４を基準にして、支持部材１２を壁体３３の右面３３３に取り付け、支持部材１３を壁体３３の左面３３２に取り付ける。このとき、作業者は、支持部材１２の後端部を壁体３３の後面３３１に突き当て、支持部材１２の上面を水平線３４に一致させる。また、作業者は、支持部材１３の後端部を壁体３３の後面３３１に突き当て、支持部材１３の下面を水平線３４から上側に適長離隔させる。
【００４３】
図７は、支持部材１１（第１の支持部材）の取り付けを説明する斜視図である。図６において、壁体３３の左面３３２及び右面３３３の図示は省略されている。
次いで、作業者は、水平線３４（図６参照）を基準にして、支持部材１１を壁体３３の後面３３１に取り付ける。このとき、作業者は、支持部材１１の上面を水平線３４に一致させる。この結果、支持部材１１，１２夫々の上面は、水平線３４を通る仮想的な水平面に配される。また、作業者は、支持部材１１の右端面を支持部材１２の左面に接触させ、支持部材１１の左端面を壁体３３の左面３３２に接触させる（図５参照）。
【００４４】
作業者は、板材２の左端部（凹部２５が設けられていない方の端部）を切断することによって、板材２の長さを壁体３３の左面３３２と右面３３３との離隔距離Ｌより僅かに短くする（図４参照）。
次いで、作業者は、長さが調整された板材２の左辺部における上面に支持具１４を取り付ける。また、作業者は、板材２の上面に取り付け金具４１を取り付け、取り付け金具４１に照明装置４２を取り付ける。
【００４５】
次に、作業者は、凹部２４，２５夫々の内面及び／又は支持部材１１，１２夫々の表面に接着剤を塗布する。次いで、作業者は、板材２の後辺部を壁体３３の後面３３１に向け、板材２の上面を天井３２に向ける（図５参照）。更に、作業者は、支持部材１１，１２を板材２の凹部２４，２５に挿入すると共に、支持具１４の載置部１４３を支持部材１３の上面に載置することによって、支持具１４を支持部材１３に支持させる（図１〜図３参照）。
【００４６】
以上のような板材支持構造１の組み立て方法によれば、板材２の左辺部には凹部が設けられている必要はない。故に、板材２の長さを調整するために、板材２の左辺部の側を切断したとしても、作業者が板材２の左辺部に凹部を形成する必要はない。従って、板材支持構造１の組み立ての作業性を向上させることができる。
また、作業者が板材２の左辺部に凹部を形成する必要がないので、板材２（特に第１基材２１）の素材が制約されない。故に、板材２の設計の自由度を向上させることができる。
【００４７】
支持部材１１，１２によって板材２の後辺部及び右辺部が支持され、支持具１４を介し、支持部材１３によって板材２の左辺部が支持されるので、板材２を安定して支持することができる。
【００４８】
板材２の第２基材２２が、照明装置４２を目隠しする目隠し部として機能するので、照明装置４２の光源４２１，４２１，…夫々が発した光が板材２よりも前側を直接的に照らすことがない。従って、間接照明を実現することができる。
なお、板材２は、棚板として利用されてもよい。
【００４９】
板材２の第２基材２２が、支持具１４を目隠しする目隠し部材として機能するので、美観を向上させることができる。
支持具１４は光吸収性を有するので、光源４２１，４２１，…夫々が発した光を反射することによって支持具１４が目立つことを抑制することができる。故に、美観を向上させることができる。
【００５０】
なお、支持具１４の形状はＺ字状に限定されるものではない。
図８は、支持具１４の形状が異なる板材支持構造１の断面図である。
図８に示す支持具１４は溝形の金具であり、左向きに開放されている。取り付け部１４１及び載置部１４３夫々は、中間部１４２の対向２辺から左向きに立ち上がっている。
取り付け部１４１が支持部材１３の下側に配されるので、図３に示す板材支持構造１の場合よりも、板材２の第１基材２１の上面を広く利用することができる。
【００５１】
図１及び図２に示すように、支持具１４の前後方向の長さは支持部材１３の長さよりも短い。しかしながら、支持具１４の前後方向の長さを支持部材１３の長さと同程度にし、支持具１４で支持部材１３を目隠ししてもよい。
【００５２】
次に、実施の形態２，３を説明する。実施の形態２，３の板材支持構造１の組み立て方法及び板材支持構造１は、実施の形態１の板材支持構造１の組み立て方法及び板材支持構造１と略同様である。実施の形態２，３の板材支持構造１の組み立て方法及び板材支持構造１は、実施の形態１の板材支持構造１の組み立て方法及び板材支持構造１の作用効果と略同様の作用効果を奏する。以下では、実施の形態１との差異について説明し、その他、実施の形態１と同一の構成要素には同一の符号を付してそれらの説明を省略する。
【００５３】
実施の形態  ２．
図９は、実施の形態２に係る板材支持構造１を示す分解斜視図である。図９においては、取り付け金具４１及び照明装置４２の図示を省略している。
壁体３３は、前面３３４を更に備える。
前面３３４は矩形状をなし、上下左右方向に延びている。前面３３４は後面３３１に対向しており、左面３３２の前辺と右面３３３の前辺との間に位置している。
【００５４】
板材支持構造１は、２つの板材２，２０を備える。
板材２，２０は、壁体３３の入隅に配されている。
板材２０の構成は、実施の形態１の板材２の構成とは左右が逆転している。これに伴い、板材２０を支持する支持部材１２，１３及び支持具１４夫々の取り付け位置は、実施の形態１の支持部材１２，１３及び支持具１４夫々の取り付け位置とは左右が異なる。具体的には、支持部材１２が左面３３２に取り付けられており、支持部材１３が右面３３３に取り付けられている。また、支持具１４は、板材２の第１基材２１の右辺部における上面に取り付けられている。
【００５５】
板材２は、板材２の一方の長辺部が壁体３３の左面３３２に向けられていること以外、実施の形態１の板材２と同様である。板材２を支持するための支持部材１１は左面３３２に取り付けられており、支持部材１３は前面３３４に取り付けられている。支持部材１２は、壁体３３ではなく、板材２０に取り付けられている。また、支持具１４は、板材２の第１基材２１の後辺部における上面に取り付けられている。
【００５６】
板材２の第１基材２１の上面の後端部と板材２０の第１基材２１の上面の左端部とは互いに面一に連続的に配されている。板材２の第２基材２２の上端面の後端部と板材２０の第２基材２２の上面の左端面とは互いに面一に連続的に配される。このために、板材２０の第２基材２２の左端面は第１基材２１の左端面よりも右側に位置し、板材２０の第１基材２１の左端部は板材２の前面に面一になるまで前側に延びている。
【００５７】
実施の形態  ３．
図１０は、実施の形態３に係る板材支持構造１を示す平面図である。
図１１は、板材支持構造１を示す分解斜視図である。図１１においては、取り付け金具４１及び照明装置４２の図示を省略している。
本実施の形態の板材支持構造１は、実施の形態１の板材支持構造１の構成を左右逆転させ、更に、板材２が上下に延びるよう回転させたような構成を有する。
【００５８】
板材２の一面は壁体３３の右面３３３に向けられており、板材２の一方の長辺部は壁体３３の後面３３１に向けられている。つまり、板材２の一面は右面であり、板材２の一方の長辺部は後辺部である。
本実施の形態においては壁体３３の後面３３１及び右面３３３が、入隅を構成する２面の壁面の内の一方の壁面及び他方の壁面である。
板材２の後辺部、上辺部、及び下辺部は、壁体３３の後面３３１、天井３２、及び床３１に接触している。
【００５９】
凹部２５は、板材２の上辺部に設けられており、上向きに開放された溝状をなす。
取り付け金具４１は板材２の右面に取り付けられている。
支持部材１１は、長手方向が上下に向くようにして壁体３３の後面３３１に取り付けられている。支持部材１２は、長手方向が前後に向くようにして天井３２に取り付けられている。支持部材１２の右面から壁体３３の右面３３３までの距離は、支持部材１１の右面から壁体３３の右面３３３までの距離と同じである。支持部材１３は、長手方向が前後に向くようにして床３１に取り付けられている。支持部材１３の右面は支持部材１１，１２夫々の右面よりも壁体３３の右面３３３に近い位置にある。
【００６０】
支持具１４は、板材２の第１基材２１の下辺部における上面にビス留めされている。本実施の形態では、支持具１４の中間部１４２及び載置部１４３が、支持部材１３に係合する。
【００６１】
本実施の形態の板材支持構造１を組み立てる手順は、実施の形態１の板材支持構造１を組み立てる手順と略同様であるが、作業者は、壁体３３の後面３３１に、水平線３４ではなく鉛直線を描く。
次に、作業者は、描いた鉛直線を基準にして、支持部材１１，１２，１３を壁体３３の後面３３１、天井３２、及びに床３１に取り付ける。このとき、支持部材１１，１２夫々の右面は、鉛直線を通り、壁体３３の後面３３１に垂直な同一面に配される。
【００６２】
作業者は、板材２の後辺部を壁体３３の後面３３１に向け、板材２の右面を壁体３３の右面３３３に向ける。更に、作業者は、支持部材１１，１２を板材２の凹部２４，２５に挿入すると共に、支持具１４の中間部１４２及び載置部１４３を支持部材１３に係合させる。
【００６３】
本実施の形態の板材支持構造１は、２つの板材２，２を左右対称に備えていてもよい。この場合、一方の板材２の一面は壁体３３の右面３３３に向けられ、他方の板材２の一面は壁体３３の左面３３２に向けられる。
【００６４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【００６５】
１      板材支持構造
１１，１２，１３    支持部材（第１、第２、及び第３の支持部材）
１４    支持具
２，２０  板材
２４，２５    凹部
３１    床
３２    天井
３３１  後面（壁面，一方の壁面）
３３３  右面（他方の壁面）
４２１  光源
【図１】
2020165175.tif 000003
【図２】
2020165175.tif 000004
【図３】
2020165175.tif 000005
【図４】
2020165175.tif 000006
【図５】
2020165175.tif 000007
【図６】
2020165175.tif 000008
【図７】
2020165175.tif 000009
【図８】
2020165175.tif 000010
【図９】
2020165175.tif 000011
【図１０】
2020165175.tif 000012
【図１１】
2020165175.tif 000013